(57)【要約】      （修正有）【課題】集合住宅インターホンシステムにおいて、異なる系統であっても同一のシースにより配線することができ、また、データ信号のクロストークによる誤動作をなくすことが可能な集合住宅インターホンシステムを提供する。【解決手段】来訪者が居住者を呼び出して通話を行うための複数の集合玄関機と、集合玄関機からの呼び出しを確認した居住者が応答して来訪者との間で通話を行うための居室親機と、集合玄関機、居室親機をそれぞれ制御する制御機とから構成される集合住宅インターホンシステムであって、居室親機は、複数の系統に分けて制御機と接続されるものであって、制御機は、複数の系統ごとにデータＩＦを有し、データＩＦに配線される幹線を同一のシースにまとめる。【選択図】図２
2010081132.tif 000002
【特許請求の範囲】
【請求項１】
来訪者が居住者を呼び出して通話を行うための複数の集合玄関機と、前記集合玄関機からの呼び出しを確認した居住者が応答して前記来訪者との間で通話を行うための居室親機と、前記集合玄関機、前記居室親機をそれぞれ制御する制御機とから構成される集合住宅インターホンシステムであって、前記居室親機は、複数の系統に分けて前記制御機と接続されるものであって、前記制御機は、前記複数の系統ごとにデータＩＦを有し、前記データＩＦに配線される幹線を同一のシースにまとめることを特徴とする集合住宅インターホンシステム。
【請求項２】
前記居室親機のIDが各系統間においても同一とならないように全て異なるIDを付与し、データ通信の信頼性を向上させることを特徴とする請求項１記載の集合住宅インターホンシステム。
【発明の詳細な説明】
【技術分野】
【０００１】
本発明は集合住宅インターホンシステムに係り、特に、制御機と居室親機との配線において、系統が異なっても同一配線シースを用いた集合住宅インターホンシステムに関する。
【背景技術】
【０００２】
従来の集合住宅インターホンシステムにおいて、複数の居室親機をひとつの系統として複数の系統を制御機に接続していた。これにより、館内放送を各系統単位でおこなうことができる（例えば、特許文献１）。
【０００３】
具体的には、図３のシステム構成図及び図４のブロック図に示す。  従来の集合住宅インターホンシステムは、図３のシステム構成図に示すように、来訪者が居住者を呼び出して通話するための集合玄関機１０、集合玄関機１０からの呼び出しに応答し、来訪者と通話するための居室親機３０、集合玄関機１０及び居室親機３０を制御するための制御機２０とを備えている。また、複数の居室親機３０は系統ごとに分けられて制御機２０と接続されており、本従来例においては、２系統（系統１０、系統２０）とを有した構成としている。
【０００４】
つまり、図４のブロック図に示すように、制御機２０は、端末ID管理部２１１、制御機ＣＰＵ２１２、系統１０データＩＦ２１３、系統２０データＩＦ２１４有している。また、居室親機３０は同一の構成となっており、データＩＦ３１１、居室親機ＣＰＵ３１２、居室ID３１３を有している。また、居室親機３０は、２系統（系統１０、系統２０）にわけられ、制御機２０とシースS10、S20をそれぞれ用いて接続されている。また、居室親機３０の居室ID３１３に設定されるIDは、系統１０、２０内での重複を禁止しているが、系統１０、２０間での重複は禁止していない。
【０００５】
このように構成された集合住宅インターホンシステムで、集合玄関機１０から呼出操作がなされると、集合玄関機１０で入力された居室番号から制御機２０の端末ID管理部２１１で居室親機のIDを確認して該当する居室親機３０へ呼出信号を送出する。これにより、居室親機３０で呼出音が鳴動して通話をおこなうことが可能となる。  
【特許文献１】特開２００５−３２８１８０号公報
【発明の開示】
【発明が解決しようとする課題】
【０００６】
しかしながら、従来例のインターホンシステムにおいては、上記のように制御機と居室親機との配線は、異なる系統では異なるシースを使用していたため、リニューアルをむかえるマンション等では配線の引換えあるいは追加が必須となる場合もあり、その結果リニューアルの実現が困難になったり、費用が高くなったりする。また、同一配線シースで接続した場合、データ信号のクロストークにより、データ通信が正常に行えない場合もある。
【０００７】
本発明では、上述の難点を解消するためになされたもので、異なる系統であっても同一のシースにより配線することができ、また、データ信号のクロストークによる誤動作をなくすことが可能な集合住宅インターホンシステムを提供することを目的とする。
【課題を解決するための手段】
【０００８】
上記課題を解決するために、請求項１に記載の発明は、来訪者が居住者を呼び出して通話を行うための複数の集合玄関機と、集合玄関機からの呼び出しを確認した居住者が応答して来訪者との間で通話を行うための居室親機と、集合玄関機、居室親機をそれぞれ制御する制御機とから構成される集合住宅インターホンシステムであって、居室親機は、複数の系統に分けて制御機と接続されるものであって、制御機は、複数の系統ごとにデータＩＦを有し、データＩＦに配線される幹線を同一のシースにまとめることを特徴とする集合住宅インターホンシステム。
【０００９】
また、請求項２の発明は、請求項１において、居室親機のIDが各系統間においても同一とならないように全て異なるIDを付与し、データ通信の信頼性を向上させることを特徴とする。
【発明の効果】
【００１０】
請求項１の発明によれば、制御機と居室親機との配線において、系統が異なっても同一配線シースを用いているのでリニューアルする場合であっても対応しやすい。
【００１１】
請求項２の発明によれば、請求項１の発明に対してデータ信号のクロストークによる誤動作をなくすことが可能となる。
【発明を実施するための最良の形態】
【００１２】
以下、本発明の集合住宅インターホンシステムを適用した最良の実施の形態例について、図１のシステム構成図及び図２のブロック図を参照して説明する。
【００１３】
本発明の集合住宅インターホンシステムは、図１のシステム構成図に示すように、来訪者が居住者を呼び出して通話するための集合玄関機１、集合玄関機１からの呼び出しに応答し、来訪者と通話するための居室親機３、集合玄関機１及び居室親機３を制御するための制御機２とを備えている。また、複数の居室親機３は系統ごとに分けられて制御機２と接続されており、本実施例においては、２系統（系統１、系統２）とを有した構成としている。
【００１４】
制御機２及び居室親機３は、図２のブロック図に示すように、制御機２は、端末ID管理部２１、制御機ＣＰＵ２２、系統１０データＩＦ２３、系統２０データＩＦ２４有している。また、居室親機３は同一の構成となっており、データＩＦ３１、居室親機ＣＰＵ３２、居室ID３３を有している。また、居室親機３は、２系統（系統１０、系統２０）にわけられ、制御機２０と一つのシースS1を用いて接続されている。
【００１５】
ここで、居室親機３の居室ID３３に設定されるIDは、系統１０、２０内及び系統１０、２０間での重複を禁止している。
【００１６】
具体的には、系統１の居室親機のIDが１００１、１００２、・・・・、１０１０で系統２の居室親機のIDが１１０１、１１０２、・・・・、１１１０として設定され、系統１と系統２とでのID重複を回避している。これらのID情報は制御機２の居室ID管理部２１にて管理されている。なお、このIDは各居室の部屋番号と関連付けられている。
【００１７】
このように構成された集合住宅インターホンシステムで、集合玄関機１から呼出操作がなされると、集合玄関機１で入力された居室番号から制御機２の端末ID管理部２１で居室親機のIDを確認して該当する居室親機３へ呼出信号を送出する。例えば、系統１の居室親機３を呼び出す場合には、制御機ＣＰＵ２２が呼出信号を生成して系統１データＩＦ２３を、シースS1内の幹線を介して該当する居室親機３に送信され、当該居室親機３はデータＩＦ３１を介して居室親機ＣＰＵ３２にて受信される。これにより、居室親機３で呼出音が鳴動して集合玄関機１と通話をおこなうことが可能となる。
【００１８】
なお、本実施例では、系統１、系統２が同一シースで形成されているので、制御機２又は居室親機３からのデータ信号がクロストークする可能性があるが、その場合であっても各系統間での居室親機IDの重複を禁止しているため、動作上不具合を生じることがない。
【図面の簡単な説明】
【００１９】
【図１】本発明の集合住宅インターホンシステムのシステム構成図である。
【図２】本発明の集合住宅インターホンシステムのブロック図である。
【図３】従来の集合住宅インターホンシステムのシステム構成図である。
【図４】従来の集合住宅インターホンシステムのブロック図である。
【符号の説明】
【００２０】
１・・・集合玄関機
２・・・制御機
３・・・居室親機
３３・・・居室ID設定部
S1・・・シース
【図１】
2010081132.tif 000003
【図２】
2010081132.tif 000004
【図３】
2010081132.tif 000005
【図４】
2010081132.tif 000006